(57)【要約】【課題】より簡単かつ正確に、所望の治療部位にパッドを貼り付けることを可能とするパッドの貼り付け補助具及びパッドを提供する。【解決手段】コードに接続された状態にあるパッド３００を治療部位に貼り付ける際に用いられるパッド３００の貼り付け補助具１０であって、パッド３００における粘着面とは反対側を覆う上面部と、パッド３００における粘着面側を覆う下面部１２と、を備え、上面部には、パッド３００を収納部に出し入れするための開口部よりも先端側に突出し、パッド３００を治療部位に貼り付ける際にパッド本体部を押さえ付けることを可能とする突出部１１ａが設けられており、下面部１２には、収納部にパッド３００が収納されている状態で、かつパッド本体部の粘着面の一部が開口部の辺りで露出するようにパッド本体部から保護シートが一部剥がされた状態で、該保護シートの端部を固定するクリップ部１５が設けられていることを特徴とする。【選択図】図１１
2008012191.tif 000002
【特許請求の範囲】
【請求項１】
パッド本体部における治療部位に貼り付けるための粘着面に保護シートが貼り付けられた状態にあるパッドを収納する収納部を有しており、かつコードに接続された状態にあるパッドを治療部位に貼り付ける際に用いられるパッドの貼り付け補助具であって、
パッドにおける粘着面とは反対側を覆う上面部と、
パッドにおける粘着面側を覆う下面部と、
を備え、
前記上面部には、パッドを前記収納部に出し入れするための開口部よりも先端側に突出し、パッドを治療部位に貼り付ける際にパッド本体部を押さえ付けることを可能とする突出部が設けられており、
前記下面部には、前記収納部にパッドが収納されている状態で、かつパッド本体部の粘着面の一部が前記開口部の辺りで露出するようにパッド本体部から保護シートが一部剥がされた状態で、該保護シートの端部を固定する固定部が設けられていることを特徴とするパッドの貼り付け補助具。
【請求項２】
前記固定部は、保護シートに対して所定以上の引き抜き力が作用すると、保護シートが破壊されることなく固定部から引き抜かれるように構成されていることを特徴とする請求項１に記載のパッドの貼り付け補助具。
【請求項３】
前記固定部による保護シートを固定する力は、パッド本体部から保護シートを剥がすのに要する力よりも大きくなるように設定されていることを特徴とする請求項１または２に記載のパッドの貼り付け補助具。
【請求項４】
前記固定部は、保護シートの端部を挟み込んで固定するクリップ部により構成されていることを特徴とする請求項１，２または３に記載のパッドの貼り付け補助具。
【請求項５】
前記上面部には、パッドが前記収納部に対して出し入れされる際に、パッドとコードとの接続部分の通過を可能とする切欠が設けられていることを特徴とする請求項１〜４のいずれか一つに記載のパッドの貼り付け補助具。
【請求項６】
パッドを治療部位に貼り付ける際に、貼り付け補助具本体を手指により掴み易くせしめるように、内側に凹んだ凹部が設けられていることを特徴とする請求項１〜５のいずれか一つに記載のパッドの貼り付け補助具。
【請求項７】
保管の際に、コードを巻き付け易くせしめるように、内側に凹んだ凹部が設けられていることを特徴とする請求項１〜６のいずれか一つに記載のパッドの貼り付け補助具。
【請求項８】
治療部位に貼り付けるための粘着面を有するパッド本体部と、
前記粘着面に貼り付けられ、簡単に前記粘着面から剥がすことができる保護シートと、を備え、
前記保護シートの一端部が、前記パッド本体部の一端部に固定されていることを特徴とするパッド。
【発明の詳細な説明】
【技術分野】
【０００１】
本発明は、パッドの貼り付け補助具及びパッドに関するものである。
【背景技術】
【０００２】
従来、内部に電極を有するパッドを治療部位に貼り付けて低周波治療を行う低周波治療器が知られている。このような低周波治療器におけるパッドは、一般的に消耗部品であり、簡単に交換できるように、治療器本体に接続されたコードに対して着脱自在に構成される。そして、パッドにおけるコードと接続される側とは反対側の面は、治療部位に貼り付けることができるように、粘着性を有している。また、一般的に、使用前の新品のパッドは、粘着面に保護シートが貼り付けられている。この保護シートは、最初にパッドを使用する際に剥がして捨ててしまい、保護シートが剥がされたパッドは、専用のパッドホルダーに保管しておくのが一般的である。
【０００３】
上記のように構成される低周波治療器により低周波治療を行う場合、従来、パッドとコードとの接続部付近を手指で持ちながら、パッドの粘着面を所望の治療部位に貼り付けている。しかしながら、治療を受ける治療者自身がパッドを治療部位に貼り付ける場合、背中など手が届き難い位置を治療したい場合に、パッドを所望の位置にうまく貼り付けることができないことがある。また、パッドは、身体の様々な箇所に貼り付けることができるように、種々の形状に対応するべく、薄くかつ非常に柔軟性が高くなっているのが一般的である。そのため、手指でパッドを持っている状態では、パッドの形状は非常に不安定であり、特にお年寄りなど手先があまり器用でない人の場合には、所望の箇所に適切に貼り付けるのは難しい場合がある。また、服を着たまま襟の辺りからパッドを差し込んで、肩や背中にパッドを貼り付けるような場合には、パッドの形状が不安定であることから、パッドを肩や背中にもっていく際にパッドの粘着面が服に貼り付いてしまうことがある。そのため、パッドの粘着面が繊維によって汚れてしまうばかりでなく、服を汚してしまうこともある。更に、パッドが折れ曲がって粘着面同士が貼り付いてしまうこともある。
【０００４】
このように、治療を受ける治療者自身がパッドを治療部位に貼り付ける場合に、パッドを所望の位置に貼り付けるのが難しく、貼り付け作業が非常に煩わしいという問題がある。
【０００５】
また、専用のパッドホルダーにパッドを保管する場合には、パッドホルダーの所定の位置にパッドを貼り付けなければならないのが一般的である。しかし、手先が不器用な場合や急いでいる時には、パッドを所定の位置にうまく貼り付けられないおそれもある。更に、パッドホルダーにパッドを貼り忘れてしまい、パッドの粘着力が早期に低下してしまうおそれもある。
【０００６】
なお、関連する技術としては、特許文献１〜４に開示されたものがある。
【特許文献１】実用新案登録番号第２５４１０２９号公報
【特許文献２】特開平１０−１９２４１６号公報
【特許文献３】特開２０００−３０８６２１号公報
【特許文献４】特開２００４−３３７８９号公報
【発明の開示】
【発明が解決しようとする課題】
【０００７】
本発明の目的は、より簡単かつ正確に、所望の治療部位にパッドを貼り付けることを可能とするパッドの貼り付け補助具及びパッドを提供することにある。
【課題を解決するための手段】
【０００８】
本発明は、上記課題を解決するために以下の手段を採用した。
【０００９】
すなわち、本発明のパッドの貼り付け補助具は、
パッド本体部における治療部位に貼り付けるための粘着面に保護シートが貼り付けられた状態にあるパッドを収納する収納部を有しており、かつコードに接続された状態にあるパッドを治療部位に貼り付ける際に用いられるパッドの貼り付け補助具であって、
パッドにおける粘着面とは反対側を覆う上面部と、
パッドにおける粘着面側を覆う下面部と、
を備え、
前記上面部には、パッドを前記収納部に出し入れするための開口部よりも先端側に突出し、パッドを治療部位に貼り付ける際にパッド本体部を押さえ付けることを可能とする突出部が設けられており、
前記下面部には、前記収納部にパッドが収納されている状態で、かつパッド本体部の粘着面の一部が前記開口部の辺りで露出するようにパッド本体部から保護シートが一部剥がされた状態で、該保護シートの端部を固定する固定部が設けられていることを特徴とする。
【００１０】
本発明によれば、貼り付け補助具を用いて、パッドを所望の治療部位に貼り付けることができる。すなわち、まず、パッドを開口部から収納部に収納させた状態で、保護シートの一部を剥がして、保護シートの端部を固定部に固定する。そして、貼り付け補助具を持ちながら、保護シートの一部を剥がしたことにより露出された粘着面の一部を、所望の治療部位に当てる。このとき、上面部に設けられた突出部によりパッド本体部を押さえ付けることで、前記粘着面の一部が治療部位に押し当てられるため、治療部位にしっかりと粘着面を貼り付けることができる。次に、突出部によりパッド本体部を押え付けながら、開口部からパッドが出て行く方向に貼り付け補助具を移動させることで、パッド本体部を所望の治療部位に貼り付けることができる。ここで、保護シートの端部は固定部に固定されているので、貼り付け補助具の移動に伴って、保護シートをパッド本体部から剥がすことができる。従って、粘着面全体を治療部位に貼り付けることができる。
【００１１】
このように、本発明によれば、貼り付け補助具を用いて、パッドを所望の治療部位に貼り付けることができる。従って、手の届きにくい位置にもパッドを適切に貼り付けることができる。また、パッドの柔軟性が高く、パッドの形状が不安定な場合であっても、本発明の貼り付け補助具を用いれば、突出部によりパッド本体部を押え付けながら、パッド本体部を治療部位に少しずつ貼り付けていくので、パッド本体部を所望の位置により適切に貼り付けることができる。これに伴い、パッド本体部の粘着面が服に貼り付いてしまったり、パッド本体部が折れ曲がって粘着面同士が貼り付いてしまったりすることを抑制できる。
【００１２】
また、貼り付け補助具の収納部にパッドを収納させておくことができるので、貼り付け補助具がパッドを保管しておくためのパッドホルダーとしても機能する。従って、別途専用のパッドホルダーが不要となる。
【００１３】
ここで、前記固定部は、保護シートに対して所定以上の引き抜き力が作用すると、保護シートが破壊されることなく固定部から引き抜かれるように構成されているとよい。
【００１４】
これにより、保護シートの一端部がパッド本体部の一端部に固定されているような場合であっても、パッドを治療部位に貼り付けたまま、パッドから貼り付け補助具を取り外すことができる。そして、保護シートは破壊されないので、保護シートを繰り返し利用する
ことができる。
【００１５】
また、前記固定部による保護シートを固定する力は、パッド本体部から保護シートを剥がすのに要する力よりも大きくなるように設定されているとよい。
【００１６】
これにより、上述のように、突出部によりパッド本体部を押え付けながら、開口部からパッドが出て行く方向に貼り付け補助具を移動させる過程において、より確実に、保護シートをパッド本体部から剥がすことができる。
【００１７】
また、前記固定部は、保護シートの端部を挟み込んで固定するクリップ部により構成されていると好適である。
【００１８】
また、前記上面部には、パッドが前記収納部に対して出し入れされる際に、パッドとコードとの接続部分の通過を可能とする切欠が設けられているとよい。
【００１９】
これにより、コードが邪魔になることなく、収納部に対してパッドを出し入れさせることが可能となる。
【００２０】
また、パッドを治療部位に貼り付ける際に、貼り付け補助具本体を手指により掴み易くせしめるように、内側に凹んだ凹部が設けられているとよい。
【００２１】
これにより、貼り付け作業を適切に行うことができる。
【００２２】
また、保管の際に、コードを巻き付け易くせしめるように、内側に凹んだ凹部が設けられているとよい。
【００２３】
これにより、パッドとコードを一緒にして、貼り付け補助具に保管しておくことができる。また、板状部材の幅方向の両側壁部のそれぞれに設けられた凹部にコードを巻き付けることで、コードの巻き付け作業を簡単に行うことができる。
【００２４】
また、本発明のパッドは、
治療部位に貼り付けるための粘着面を有するパッド本体部と、
前記粘着面に貼り付けられ、簡単に前記粘着面から剥がすことができる保護シートと、を備え、
前記保護シートの一端部が、前記パッド本体部の一端部に固定されていることを特徴とする。
【００２５】
これにより、治療中は剥がしておいた保護シートを、治療後に元の位置に戻すだけで、簡単に、パッド本体部の粘着面に保護シートを貼り付けることができる。従って、専用のパッドホルダーが不要になる。また、パッド本体部に保護シートが固定されていることから、保護シートの貼り忘れを防止することができる。更に、パッド本体部に保護シートが固定されているので、適切な位置に簡単に保護シートを貼り付けることができる。
【００２６】
なお、上記各構成は、可能な限り組み合わせて採用し得る。
【発明の効果】
【００２７】
以上説明したように、本発明によれば、より簡単かつ正確に、所望の治療部位にパッドを貼り付けることが可能となる。
【発明を実施するための最良の形態】
【００２８】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２９】
（実施例）
図１〜図１８を参照して、本発明の実施例に係るパッドの貼り付け補助具及びパッドについて説明する。なお、本発明の実施例に係るパッドの貼り付け補助具及びパッドは、低周波治療器に適用されるものである。
【００３０】
＜低周波治療器＞
図１を参照して、本発明の実施例に係る低周波治療器について説明する。図１は本発明の実施例に係る低周波治療器の外観を示す斜視図である。
【００３１】
低周波治療器１００は、概略、治療器本体２００と、治療部位に貼り付けるための一対のパッド３００と、治療器本体２００とパッド３００とを電気的に接続するためのコード４００とから構成される。
【００３２】
治療器本体２００は、電源や各種の設定等を行うために設けられた複数のボタン２０１や、設定内容や治療時間を表示するための表示部２０２を備えている。治療器本体自体に関しては、公知技術を含めた各種の技術を適用すればよいので、詳細説明は省略する。
【００３３】
パッド３００は、薄くかつ柔軟性の高い部材により構成されており、一方の面は、ゲル状の材料によって構成され、粘着性を有している。また、コード４００は、一端に治療器本体２００に接続するためのプラグ４０１が設けられており、他端にパッド３００に接続するための凹型スナップ４０２が設けられている。
【００３４】
＜パッドの貼り付け補助具＞
図２〜図６を参照して、本発明の実施例に係るパッドの貼り付け補助具について説明する。図２は本発明の実施例に係るパッドの貼り付け補助具の平面図である。図３は本発明の実施例に係るパッドの貼り付け補助具の断面図である。なお、図３は図２のＡＡ断面図である。図４は本発明の実施例に係るパッドの貼り付け補助具の底面図である。図５は本発明の実施例に係るパッドの貼り付け補助具の上方側から見た斜視図である。図６は本発明の実施例に係るパッドの貼り付け補助具の下方側から見た斜視図である。
【００３５】
本実施例に係るパッド３００の貼り付け補助具１０は、パッド３００を収納可能とする、薄い箱形状の部材により構成されている。すなわち、貼り付け補助具１０は、パッド３００における粘着面とは反対側を覆う上面部１１と、パッド３００における粘着面側を覆う下面部１２と、上面部１１と下面部１２を連結する一対の側面部１３と、開口部Ｏの反対側に設けられる底面部１４とを備えている。このように、貼り付け補助具１０は、開口部Ｏを有する薄い箱形状の部材により構成される。そして、箱の内部にパッド３００を収納する収納部が形成され、開口部Ｏからパッド３００を出し入れすることができる。
【００３６】
上面部１１には、開口部Ｏよりも先端側に、下面部１２側に向かって湾曲するように突出した突出部１１ａが設けられている。また、上面部１１には、その幅方向の中心線を通るように、突出部１１ａの先端から一定量だけ切り欠かれた切欠１１ｂが設けられている。
【００３７】
下面部１２には、パッド３００の保護シートの端部を挟み込んで固定するクリップ部１５が設けられている。
【００３８】
また、一対の側面部１３には、貼り付け補助具１０を手指により掴み易くせしめると共に、コード４００を巻き付け易くせしめるように、内側に凹んだ凹部１３ａがそれぞれ設けられている。なお、これらの凹部１３ａは、下面部１２との境界部分に設けられている。
【００３９】
＜パッド＞
図７〜図９を参照して、本発明の実施例に係るパッドについて、更に詳細に説明する。図７は本発明の実施例に係るパッドの斜視図である。図８は本発明の実施例に係るパッドの側面図である。図９は本発明の実施例に係るパッドにおいて保護シートを剥がした状態を示す側面図である。
【００４０】
本実施例に係るパッド３００は、粘着面３１１を有するパッド本体部３１０と、粘着面３１１を保護するために粘着面３１１に貼り付けられる保護シート３３０とを備えている。
【００４１】
パッド本体部３１０の粘着面３１１とは反対側の面には、コード４００に設けられた凹型スナップ４０２が接続される凸型スナップ３２０が設けられている。
【００４２】
保護シート３３０は、その一端部３３１が、パッド本体部３１０の一端部に固定されている。ここで、保護シート３３０の一端部３３１は、パッド本体部３１０における凸型スナップ３２０が設けられている面側で固定されている。そして、保護シート３３０は、パッド本体部３１０の一端部を挟み込むように折り曲げられた状態で、パッド本体部３１０の粘着面３１１に貼り付けられる。この保護シート３３０の平面形状は、パッド本体部３１０への固定部分を除き、パッド本体部３１０の平面形状と同一となるように構成されている。これにより、保護シート３３０をパッド本体部３１０の粘着面３１１に貼り付けることで、粘着面３１１全体が保護シート３３０により保護され、かつ保護シート３３０がパッド本体部３１０からはみ出してしまうこともない。
【００４３】
パッド本体部３１０における保護シート３３０が固定されている部分とは反対側の端部には、先端に向かって少しだけ突出した突出部３１２が設けられている。そして、上記の通り、パッド本体部３１０における凸型スナップ３２０が設けられている面とは反対側には、粘着面３１１が設けられているが、この突出部３１２の部分だけは、粘着面３１１は設けられていない。そのため、この突出部３１２の部分では、保護シート３３０側の突出部３３２がパッド本体部３１０に貼り付いておらず、この突出部３３２の部分から保護シート３３０を簡単に剥がすことができる。
【００４４】
以上の構成により、突出部３３２の部分から保護シート３３０を剥がしても、その一端部３３１がパッド本体部３１０の一端部に固定されているので、保護シート３３０をパッド本体部３１０に保持させることが可能となる。そして、保護シート３３０は、パッド本体部３１０の粘着面３１１とは反対側の面に固定されているので、保護シート３３０を剥がした際には、粘着面３１１の全面を露出させることができる（図９参照）。従って、保護シート３３０が、パッド３００の治療部位への貼り付けを妨げてしまうことはない。
【００４５】
＜貼り付け補助具へのパッドとコードの取り付け構造＞
特に、図１０及び図１１を参照して、本発明の実施例に係る貼り付け補助具へのパッドとコードの取り付け構造について説明する。図１０は本発明の実施例に係る貼り付け補助具にパッドとコードが取り付けられた様子を示す上方側から見た斜視図である。図１１は本発明の実施例に係る貼り付け補助具にパッドとコードが取り付けられた様子を示す下方側から見た斜視図である。
【００４６】
本実施例においては、貼り付け補助具１０の開口部Ｏからパッド３００を差し込むように、パッド３００を貼り付け補助具１０の中に収納する。このとき、パッド３００におけるパッド本体部３１０と保護シート３３０が固定されている部分側から、パッド３００を開口部Ｏから差し込むようにする。すると、パッド３００のうち突出部３１２の部分だけが、貼り付け補助具１０の上面部１１から飛び出した状態となる。また、このとき、パッド本体部３１０に設けられた凸型スナップ３２０が、上面部１１に設けられた切欠１１ｂから露出された状態になる。これにより、上面部１１の表面側から、コード４００に設けられた凹型スナップ４０２を凸型スナップ３２０に接続することができる。従って、コード４００及びコード４００の先端に設けられた凹型スナップ４０２を貼り付け補助具１０の中に入れる必要がなく、かつ、貼り付け補助具１０にパッド３００を収納させたまま、コード４００とパッド３００の接続または取り外し作業を行うことができる。
【００４７】
パッド３００を貼り付け補助具１０の中に収納させた状態において、パッド３００における突出部３１２を含む先端部分の一部は、貼り付け補助具１０の下面部１２側において、開口部Ｏからはみ出すように構成されている（図１１参照）。
【００４８】
＜治療部位へのパッドの貼り付け方法＞
特に、図１２〜図１５を参照して、本実施例に係る貼り付け補助具１０を用いて、治療部位にパッド３００を貼り付ける方法を説明する。図１２は本発明の実施例に係る貼り付け補助具を用いて治療部位にパッドを貼り付ける際の準備段階の状態を示す平面図である。図１３は本発明の実施例に係る貼り付け補助具を用いて治療部位にパッドを貼り付ける際の準備段階の状態を示す底面図である。図１４は本発明の実施例に係る貼り付け補助具を用いて治療部位にパッドを貼り付ける際の準備段階の状態を示す断面図である。なお、図１４は図１２のＡＡ断面図である。図１５は本発明の実施例に係る貼り付け補助具を用いて治療部位にパッドを貼り付けている途中の様子を示す断面図である。
【００４９】
本実施例に係る貼り付け補助具１０を用いて、治療部位にパッド３００を貼り付ける場合には、まず、パッド３００を貼り付け補助具１０の中に収納させた状態で、保護シート３３０の突出部３３２から保護シート３３０を一部だけ引き剥がす。そして、この保護シート３３０の突出部３３２の部分を、貼り付け補助具１０の下面部１２に設けられたクリップ部１５に挟み込んで固定させる。これにより、パッド３００が貼り付け補助具１０に収納されている状態で、パッド本体部３１０の粘着面３１１の一部が、貼り付け補助具１０の開口部Ｏの辺りで露出される（以上、図１２〜図１４参照）。
【００５０】
次に、パッド本体部３１０の先端を所望の治療部位まで近付けて、貼り付け補助具１０の上面部１１に設けられた突出部１１ａの先端によって、パッド本体部３１０を治療部位に押し付ける。これにより、パッド本体部３１０の粘着面３１１の先端の辺りが、治療部位に貼り付けられる。
【００５１】
そして、貼り付け補助具１０の上面部１１に設けられた突出部１１ａによって、パッド本体部３１０を治療部位に対して押し付けながら、図１５中、矢印Ｐ方向に貼り付け補助具１０を移動させる。これにより、パッド本体部３１０は、その先端部が治療部位に貼り付けられているので、パッド本体部３１０は貼り付け補助具１０の開口部Ｏから徐々に引き出されていく。一方、保護シート３３０は、その先端の突出部３３２が貼り付け補助具１０のクリップ部１５に固定されているので、保護シート３３０の突出部３３２は、貼り付け補助具１０に引っ張られる。従って、貼り付け補助具１０の移動に伴って、パッド本体部３１０から保護シート３３０が徐々に引き剥がされる。また、上述のように、突出部１１ａによりパッド本体部３１０を治療部位に対して押し付けながら貼り付け補助具１０を移動させることで、保護シート３３０を引き剥がしつつ、粘着面３１１において露出さ
れた部分を、治療部位に貼り付けていくことができる。なお、パッド３００とコード４００との接続部分（凸型スナップ３２０と凹型スナップ４０２による接続部分）は、切欠１１ｂを通って、上面部１１から抜け出ていくので、パッド３００の貼り付け作業の支障となることはない。
【００５２】
また、粘着面３１１の全体が治療部位に貼り付けられた後に、更に、貼り付け補助具１０を引っ張ることで、保護シート３３０は、破壊されることなくクリップ部１５から引き抜かれる。これにより、パッド３００を治療部位に貼り付けたまま、貼り付け補助具１０をパッド３００から取り外すことができる。また、保護シート３３０は破壊されないので、その後繰り返し利用することができる。なお、これらを実現するためには、クリップ部１５による保護シート３３０の突出部３３２に対する固定力を適度な大きさに設定する必要がある。すなわち、この固定力が大き過ぎると、保護シート３３０がクリップ部１５から引き抜かれずに、パッド本体部３１０が治療部位からずれてしまったり、保護シート３３０が破れてしまったりする。従って、この固定力は、治療部位に貼り付けられたパッド本体部３１０がずれてしまうことなく、かつ、保護シート３３０が破れてしまわない程度にする必要がある。また、この固定力が小さ過ぎると、パッド本体部３１０を治療部位に貼り付ける過程において、パッド本体部３１０から保護シート３３０がうまく剥がれずに、保護シート３３０がクリップ部１５から引き抜かれてしまう。従って、この固定力は、パッド本体部３１０から保護シート３３０を剥がすのに要する力よりも大きくなければならない。
【００５３】
ここで、貼り付け補助具１０の一対の側面部１３にそれぞれ設けられている凹部１３ａの部分を手指で挟むように貼り付け補助具１０を持てば、貼り付け補助具１０に手指がフィットし、手指や手首への負担を少なくすることができる。
【００５４】
パッド３００を所望の治療部位に貼り付けた後に、治療器本体２００を操作することによって、低周波治療を行うことができる。治療後は、保護シート３３０を手指で摘みながら、パッド本体部３１０を治療部位から引き剥がすことができる。
【００５５】
＜パッドの保管＞
図１６〜図１８を参照して、本発明の実施例に係るパッド３００の保管方法について説明する。図１６は本発明の実施例に係るパッドの貼り付け補助具にパッドを保管する様子を示す上方側から見た斜視図である。図１７は本発明の実施例に係るパッドの貼り付け補助具にパッドを保管する様子を示す下方側から見た斜視図である。図１８は本発明の実施例に係るパッドの貼り付け補助具にパッドを保管する様子を示す側面図である。
【００５６】
低周波治療を終えたら、まず、保護シート３３０をパッド本体部３１０の粘着面３１１に貼り付ける。次に、パッド３００を貼り付け補助具１０の中に収納させる。このとき、コード４００はパッド３００に接続させたままで構わない。そして、貼り付け補助具１０に対して、一対の凹部１３ａの部分を通るようにコード４００を巻き付ける。一対の凹部１３ａを通るようにコード４００を巻き付けることで、コード４００の巻き付け作業を簡単に行うことができる。このように、一対の凹部１３ａは、貼り付け補助具１０を持つ際に、手指をフィットさせるために利用されると共に、コード４００が巻き付けられるためにも利用される。
【００５７】
なお、これまでの説明においては、貼り付け補助具１０用いて、保護シート３３０の一端部３３１がパッド本体部３１０の一端部に固定されているパッド３００を治療部位に貼り付ける場合を説明した。しかしながら、本実施例に係る貼り付け補助具１０は、従来のように、保護シートが、パッド本体とは別体により構成され、パッド本体から完全に剥がれるように構成されたパッドを治療部位に貼り付けるために用いることも可能である。た
だし、この場合には、完全に剥がれた保護シートを、治療後にパッドに貼り付け直す必要がある。
【００５８】
＜本実施例の優れた点＞
以上のように、本実施例によれば、貼り付け補助具１０を用いて、パッド３００を所望の治療部位に貼り付けることができる。従って、手の届きにくい位置にもパッド３００を適切に貼り付けることができる。また、パッド３００の柔軟性が高く、パッド３００の形状が不安定な場合であっても、本実施例に係る貼り付け補助具１０を用いれば、突出部１１ａによりパッド本体部３１０を押え付けながら、パッド本体部３１０を治療部位に少しずつ貼り付けていくので、パッド本体部３１０を所望の位置に対して、より適切に貼り付けることができる。これに伴い、パッド本体部３１０の粘着面３１１が服に貼り付いてしまったり、パッド本体部３１０が折れ曲がって粘着面同士が貼り付いてしまったりすることを抑制できる。
【００５９】
また、貼り付け補助具１０にパッド３００を収納させておくことができるので、貼り付け補助具１０がパッド３００を保管しておくためのパッドホルダーとしても機能する。従って、別途専用のパッドホルダーが不要となる。
【００６０】
また、本実施例においては、貼り付け補助具１０の上面部１１には、パッド３００が開口部Ｏから出し入れされる際に、パッド３００とコード４００との接続部分の通過を可能とする切欠１１ｂが設けられている。従って、コード４００が邪魔になることなく、収納部に対してパッド３００を出し入れさせることが可能となる。
【００６１】
また、本実施例では、保護シート３３０の一端部３３１が、パッド本体部３１０の一端部に固定されているパッド３００を用いたことで、治療中は剥がしておいた保護シート３３０を、治療後に元の位置に戻すだけで、簡単に、パッド本体部３１０の粘着面３１１に保護シート３３０を貼り付けることができる。従って、専用のパッドホルダーが不要になる。また、パッド本体部３１０に保護シート３３０が固定されていることから、保護シート３３０の貼り忘れを防止することができる。更に、パッド本体部３１０に保護シート３３０が固定されているので、適切な位置に簡単に保護シート３３０を貼り付けることができる。
【００６２】
また、貼り付け補助具１０によって、上記のように構成されたパッド３００を治療部位に貼り付けるようにすれば、保護シート３３０が貼り付け補助具１０を移動させる方向に伸びきった状態で、パッド３００が治療部位に貼り付けられる。そのため、手が届きにくい位置にパッド本体部３１０を貼り付けた場合においても、保護シート３３０は簡単に手が届くところに残った状態になる。従って、パッド３００を治療部位から引き剥がす場合には、保護シート３３０を摘んで剥がせばよいので、簡単にパッド３００を引き剥がすことができる。
【図面の簡単な説明】
【００６３】
【図１】図１は本発明の実施例に係る低周波治療器の外観を示す斜視図である。
【図２】図２は本発明の実施例に係るパッドの貼り付け補助具の平面図である。
【図３】図３は本発明の実施例に係るパッドの貼り付け補助具の断面図である。
【図４】図４は本発明の実施例に係るパッドの貼り付け補助具の底面図である。
【図５】図５は本発明の実施例に係るパッドの貼り付け補助具の上方側から見た斜視図である。
【図６】図６は本発明の実施例に係るパッドの貼り付け補助具の下方側から見た斜視図である。
【図７】図７は本発明の実施例に係るパッドの斜視図である。
【図８】図８は本発明の実施例に係るパッドの側面図である。
【図９】図９は本発明の実施例に係るパッドにおいて保護シートを剥がした状態を示す側面図である。
【図１０】図１０は本発明の実施例に係る貼り付け補助具にパッドとコードが取り付けられた様子を示す上方側から見た斜視図である。
【図１１】図１１は本発明の実施例に係る貼り付け補助具にパッドとコードが取り付けられた様子を示す下方側から見た斜視図である。
【図１２】図１２は本発明の実施例に係る貼り付け補助具を用いて治療部位にパッドを貼り付ける際の準備段階の状態を示す平面図である。
【図１３】図１３は本発明の実施例に係る貼り付け補助具を用いて治療部位にパッドを貼り付ける際の準備段階の状態を示す底面図である。
【図１４】図１４は本発明の実施例に係る貼り付け補助具を用いて治療部位にパッドを貼り付ける際の準備段階の状態を示す断面図である。
【図１５】図１５は本発明の実施例に係る貼り付け補助具を用いて治療部位にパッドを貼り付けている途中の様子を示す断面図である。
【図１６】図１６は本発明の実施例に係るパッドの貼り付け補助具にパッドを保管する様子を示す上方側から見た斜視図である。
【図１７】図１７は本発明の実施例に係るパッドの貼り付け補助具にパッドを保管する様子を示す下方側から見た斜視図である。
【図１８】図１８は本発明の実施例に係るパッドの貼り付け補助具にパッドを保管する様子を示す側面図である。
【符号の説明】
【００６４】
１０  貼り付け補助具
１１  上面部
１１ａ  突出部
１１ｂ  切欠
１２  下面部
１３  側面部
１３ａ  凹部
１４  底面部
１５  クリップ部
１００  低周波治療器
２００  治療器本体
２０１  ボタン
２０２  表示部
３００  パッド
３１０  パッド本体部
３１１  粘着面
３１２  突出部
３２０  凸型スナップ
３３０  保護シート
３３１  一端部
３３２  突出部
４００  コード
４０１  プラグ
４０２  凹型スナップ
Ｏ  開口部
【図１】
2008012191.tif 000003
【図２】
2008012191.tif 000004
【図３】
2008012191.tif 000005
【図４】
2008012191.tif 000006
【図５】
2008012191.tif 000007
【図６】
2008012191.tif 000008
【図７】
2008012191.tif 000009
【図８】
2008012191.tif 000010
【図９】
2008012191.tif 000011
【図１０】
2008012191.tif 000012
【図１１】
2008012191.tif 000013
【図１２】
2008012191.tif 000014
【図１３】
2008012191.tif 000015
【図１４】
2008012191.tif 000016
【図１５】
2008012191.tif 000017
【図１６】
2008012191.tif 000018
【図１７】
2008012191.tif 000019
【図１８】
2008012191.tif 000020